(57)【要約】      （修正有）【課題】測定した作動油の温度と温度に対応する作動油の動粘度の推定値を同時に確認することが可能で、作動油の動粘度の推定値の確認作業を容易にできる温度計を提供するものである。【解決手段】温度目盛り３の形成された温度表示部２と、作動油の種類と作動油の温度に基づく動粘度の推定値とを表示する動粘度表示部６を備える。温度表示部２は、測定した作動油の温度に応じて回動する指針４を有する。動粘度表示部６は、動粘度の推定値を対応する温度目盛り３に対向するように配置して表示し、温度表示部２の外周側に取付ける。【選択図】図１
2018105658.tif 000002
【特許請求の範囲】
【請求項１】
作動油の温度を測定する温度計において、温度目盛りの形成された温度表示部と、作動油の種類と作動油の温度に基づく動粘度の推定値とを表示する動粘度表示部と、測定した作動油の温度に応じて変位する温度指示部とを備え、動粘度表示部は表示する動粘度の推定値を対応する温度目盛りに対向して配置したことを特徴とする温度計。
【請求項２】
前記温度表示部は円形状で、前記温度指示部は測定した作動油の温度に応じて回動する指針で、この指針を前記温度表示部に回動可能に設け、前記動粘度表示部は前記温度目盛りの外周側に設けたことを特徴とする請求項１に記載の温度計。
【請求項３】
前記温度計は棒状温度計で管部を有し、前記温度指示部は管部に封入され測定した作動油の温度に応じて液面を上昇または下降する感温液とすることを特徴とする請求項１に記載の温度計。
【請求項４】
前記動粘度表示部は前記温度計に着脱自在としたことを特徴とする請求項２および請求項３のいずれかに記載の温度計。
【請求項５】
前記温度表示部は円形状で、前記温度指示部は測定した作動油の温度に応じて回動する指針で、この指針を前記温度表示部に回動可能に設け、前記動粘度表示部は前記温度目盛りの内周側に設けたことを特徴とする請求項１に記載の温度計。
【発明の詳細な説明】
【技術分野】
【０００１】
本発明は、作動油の温度を測定するのに好適な温度計に関する。
【背景技術】
【０００２】
この種の温度計は、温度目盛りが形成された目盛板を設ける表示器を有している。表示器には、被測定部位の温度に応じて回動する指針が回動可能に設けられており、指針の回動量を目盛板から読み取ることで被測定部位の温度を測定する。そして、被測定部位として作動油の温度を測定する場合がある。
【先行技術文献】
【特許文献】
【０００３】
【特許文献１】特開平９−１５０５９号公報
【発明の概要】
【発明が解決しようとする課題】
【０００４】
ところが、かかる従来の温度計では、測定した作動油の温度に対応する動粘度の推定値を確認したいときには、ＪＩＳ  Ｋ２２８３：２０００（原油及び石油製品−動粘度試験方法及び粘度指数算出方法）に基づいて、測定した作動油の温度に対応する作動油の動粘度の推定値を参照して確認するため、作動油の動粘度の推定値の確認作業が煩雑であるという問題点があった。
【０００５】
本発明の課題は、測定した作動油の温度と温度に対応する作動油の動粘度の推定値を同時に確認することが可能で、作動油の動粘度の推定値の確認作業を容易にできる温度計を提供するものである。
【課題を解決するための手段】
【０００６】
かかる課題を達成すべく、本発明は次の手段をとった。即ち、
作動油の温度を測定する温度計において、温度目盛りの形成された温度表示部と、作動油の種類と作動油の温度に基づく動粘度の推定値とを表示する動粘度表示部と、測定した作動油の温度に応じて変位する温度指示部とを備え、動粘度表示部は表示する動粘度の推定値を対応する温度目盛りに対向して配置したことを特徴とする温度計がそれである。
【０００７】
この場合、前記温度表示部は円形状で、前記温度指示部は測定した作動油の温度に応じて回動する指針で、この指針を前記温度表示部に回動可能に設け、前記動粘度表示部は前記温度目盛りの外周側に設けてもよい。また、温度計は棒状温度計で管部を有し、前記温度指示部は管部に封入され測定した作動油の温度に応じて液面を上昇または下降する感温液としてもよい。また、前記動粘度表示部は前記温度計に着脱自在としてもよい。また、前記温度表示部は円形状で、前記温度指示部は測定した作動油の温度に応じて回動する指針で、この指針を前記温度表示部に回動可能に設け、前記動粘度表示部は前記温度目盛りの内周側に設けてもよい。
【発明の効果】
【０００８】
以上詳述したように、請求項１に記載の発明は、温度目盛りの形成された温度表示部と、作動油の種類と作動油の温度に基づく動粘度の推定値とを表示する動粘度表示部と、測定した作動油の温度に応じて変位する温度指示部とを備え、動粘度表示部は表示する動粘度の推定値を対応する温度目盛りに対向して配置した。このため、温度指示部は測定した作動油の温度を指示すると共に、その作動油の温度に対応する動粘度の推定値も指示するから、測定した作動油の温度と温度に対応した作動油の動粘度の推定値を同時に確認することが可能で、作動油の動粘度の推定値の確認作業を容易にできる。
【０００９】
また、請求項２に記載の発明は、請求項１に記載の発明の効果に加え、温度表示部は円形状で、温度指示部は測定した作動油の温度に応じて回動する指針で、この指針を温度表示部に回動可能に設け、動粘度表示部は前記温度目盛りの外周側に設けた。このため、既存の温度計の温度目盛りの外周側に動粘度表示部を取付けることが可能で、格別に温度計を用意する必要がなく、安価に製作することができる。
【００１０】
また、請求項３に記載の発明は、請求項１に記載の発明の効果に加え、温度計は棒状温度計で管部を有し、温度指示部は管部に封入され測定した作動油の温度に応じて液面を上昇または下降する感温液とした。このため、既存の棒状温度計に動粘度表示部を取付けることが可能で、格別に温度計を用意する必要がなく、安価に製作することができる。
【００１１】
また、請求項４に記載の発明は、請求項２および請求項３に記載の発明の効果に加え、動粘度表示部は温度計に着脱自在とした。このため、必要に応じて動粘度表示部を温度計から取外し可能で、温度計を被取付部材に取付ける際にスペースの制約を受け難くできる。
【００１２】
また、請求項５に記載の発明は、請求項１に記載の発明の効果に加え、温度表示部は円形状で、温度指示部は測定した作動油の温度に応じて回動する指針で、この指針を温度表示部に回動可能に設け、動粘度表示部は温度目盛りの内周側に設けた。このため、温度目盛りの内周側に動粘度表示部を設けるから、温度表示部は温度表示部の外径以上の大きさにはなることはなく、温度計を大型化することなくできる。
【図面の簡単な説明】
【００１３】
【図１】本発明の一実施形態を示した温度計の正面図である。
【図２】他の実施形態を示した温度計の正面図である。
【図３】図２の矢視Ａから見た図である。
【図４】さらに他の実施形態を示した温度計の正面図である。
【発明を実施するための形態】
【００１４】
以下、本発明の一実施形態を図面に基づき説明する。
図１において、１は作動油の温度を測定する温度計で、略円形状の温度表示部２を有している。温度表示部２には、０℃から１００℃までの間で、０、２０、４０、６０、８０、１００の数字を円周上に表示した温度目盛り３を形成している。４は測定した作動油の温度に応じて回動する温度指示部としての指針で、根元部４Ａを温度表示部２の中心に回動可能に設けている。そして、指針４は、回動により先端部４Ｂが位置する温度目盛り３を読み取ることで作動油の温度を測定する。５はドーム状の透明なカバー部で、温度目盛り３と指針４を覆うように温度表示部２に設けている。６は周方向の一部を切り欠いた円板状の動粘度表示部で、温度表示部２の外周に固定して取付け、作動油の種類と作動油の温度に基づく動粘度の推定値とを表示している。なお、動粘度の推定値とは、ＪＩＳ  Ｋ２２８３：２０００（原油及び石油製品−動粘度試験方法及び粘度指数算出方法）に規定の「動粘度および混合比の推定方法」に基づいて、２点の温度における動粘度の実測値から、任意温度における動粘度を推定した値である。
【００１５】
動粘度表示部６には３行１１列の表を表示し、行を作動油の種類で区分けすると共に、列を温度表示部２の温度目盛り３に対応して０℃から１００℃の間で１０℃毎に区分けしている。動粘度表示部６の表は、内周側から外周側に向けて順次、第１行９、第２行１０、第３行１１であり、第１行９には粘度グレードがＩＳＯ  ＶＧ２２の作動油を表示し、第２行１０には粘度グレードがＩＳＯ  ＶＧ３２の作動油を表示し、第３行１１には粘度グレードがＩＳＯ  ＶＧ４６の作動油を表示している。なお、粘度グレードとは、ＪＩＳ  Ｋ２００１：１９９３（工業用潤滑油−ＩＳＯ粘度分類）で規定の石油系又は非石油系の工業用潤滑油及び関連製品の４０℃における動粘度に基づく粘度分類である。
【００１６】
第１行９に表示するＶＧ２２の作動油は、４０℃における動粘度が２２ｍｍ２／ｓで、１００℃における動粘度が４．３ｍｍ２／ｓの実測値であり、これらを第１行第５列のマス目９Ｅと第１行第１１列のマス目９Ｋに表示している。そして、第１行９に表示するＶＧ２２の作動油は、０℃における動粘度の推定値１８６ｍｍ２／ｓを第１行第１列のマス目９Ａに表示し、同様に１０℃、２０℃、３０℃、５０℃、６０℃、７０℃、８０℃、９０℃における動粘度の推定値９５ｍｍ２／ｓ、５４ｍｍ２／ｓ、３３ｍｍ２／ｓ、１５．５ｍｍ２／ｓ、１１．２ｍｍ２／ｓ、８．４ｍｍ２／ｓ、６．６ｍｍ２／ｓ、５．３ｍｍ２／ｓ、を、第１行第２列のマス目９Ｂ〜第１行第１０列のマス目９Ｊに表示している。
【００１７】
第２行１０に表示するＶＧ３２の作動油は、４０℃における動粘度が３２ｍｍ２／ｓで、１００℃における動粘度が５．５ｍｍ２／ｓの実測値であり、これらを第２行第５列のマス目１０Ｅと第２行第１１列のマス目１０Ｋに表示している。そして、第２行１０に表示するＶＧ３２の作動油は、０℃、１０℃、２０℃、３０℃、５０℃、６０℃、７０℃、８０℃、９０℃における動粘度の推定値３１５ｍｍ２／ｓ、１５５ｍｍ２／ｓ、８０ｍｍ２／ｓ、４８ｍｍ２／ｓ、２２ｍｍ２／ｓ、１６ｍｍ２／ｓ、１１．２ｍｍ２／ｓ、８．７ｍｍ２／ｓ、６．９ｍｍ２／ｓ、を、第２行第１列のマス目１０Ａ〜第２行第１０列のマス目１０Ｊに表示している。
【００１８】
第３行１１に表示するＶＧ４６の作動油は、４０℃における動粘度が４６ｍｍ２／ｓで、１００℃における動粘度が７ｍｍ２／ｓの実測値であり、これらを第３行第５列のマス目１１Ｅと第３行第１１列のマス目１１Ｋに表示している。そして、第３行１１に表示するＶＧ４６の作動油は、０℃、１０℃、２０℃、３０℃、５０℃、６０℃、７０℃、８０℃、９０℃における動粘度の推定値５３０ｍｍ２／ｓ、２４０ｍｍ２／ｓ、１２９ｍｍ２／ｓ、７０ｍｍ２／ｓ、３０ｍｍ２／ｓ、２１ｍｍ２／ｓ、１５ｍｍ２／ｓ、１１．４ｍｍ２／ｓ、９ｍｍ２／ｓ、を、第３行第１列のマス目１１Ａ〜第３行第１０列のマス目１１Ｊに表示している。
【００１９】
次に、かかる構成の作動を説明する。
図１に示すように、温度計１で作動油の温度を測定すると、指針４が回動して測定した作動油の温度を先端部４Ｂが指示する。そして、動粘度表示部６の表から指針４の先端部４Ｂが指示する作動油の温度に対応するマス目を参照して、作動油の動粘度の推定値を確認する。例えば、図１において、測定する作動油が動粘度表示部６の表の第１行９に表示するＶＧ２２の作動油である場合、指針４の先端部４Ｂは３０℃を指示しており、これに対応するマス目９Ｄから動粘度の推定値３３ｍｍ２／ｓを確認する。
【００２０】
かかる作動において、温度目盛り３の形成された温度表示部２と、作動油の種類と作動油の温度に基づく動粘度の推定値を表示する動粘度表示部６と、測定した作動油の温度に応じて回動する指針４とを備え、動粘度表示部６は表示する動粘度の推定値を対応する温度目盛り３に対向して配置した。このため、指針４は測定した作動油の温度を指示すると共に、その作動油の温度に対応する動粘度の推定値も指示するから、測定した作動油の温度と温度に対応した作動油の動粘度の推定値を同時に確認することが可能で、作動油の動粘度の推定値の確認作業を容易にできる。
【００２１】
また、動粘度表示部６は略円形状の温度表示部２に形成された温度目盛り３の外周側に設けた。このため、既存の温度計の温度目盛りの外周側に動粘度表示部６を取付けることが可能で、格別に温度計を用意する必要がなく、安価に製作することができる。
【００２２】
図２および図３は、本発明の他の実施形態を示し、図面に基づき説明する。
１２は作動油の温度を測定する棒状温度計で、軸心に管部１２Ａを有し、外周面には温度表示部１３を有している。温度表示部１３には、０℃から１００℃までを１０℃毎に太線で表示した温度目盛り１４を形成しており、最下方に位置する太線１４Ａは０℃を示し、最上方に位置する太線１４Ｂは１００℃を示している。１５は管部１２Ａに封入した温度指示部としての感温液で、測定した作動油の温度に応じて液面を上昇または下降する。そして、感温液１５の液面が位置する温度目盛り１４を読み取ることで作動油の温度を測定する。
【００２３】
１６は透明材から形成した板状の動粘度表示部で、裏面１６Ａに棒状温度計１２の一部を収納する円弧状の凹み部１７を設けると共に、表面１６Ｂに作動油の種類と作動油の温度に基づく動粘度の推定値とを表示している。凹み部１７は円弧の曲率を棒状温度計１２の外周面の曲率と略同一に設けている。動粘度表示部１６は凹み部１７へ一部を収納した棒状温度計１２を、ゴム等の弾性部材１８によって着脱自在に取り付けている。そして、動粘度表示部１６の表面１６Ｂ側より透明材の動粘度表示部１６を介して、棒状温度計１２の感温液１５の液面を可視できる。動粘度表示部１６の表面１６Ｂには、棒状温度計１２の左側と右側にそれぞれ表を有している。左側の表は１１行１列の表で、温度目盛り１４に対応して０℃から１００℃までの間で、０、１０、２０、３０、４０、５０、６０、７０、８０、９０、１００の数字を下方から上方へ向けて順次表示している。右側の表は１１行３列で、行を左側の温度に対応して０℃から１００℃の間で１０℃毎に区分けすると共に、列を作動油の種類で区分けしている。右側の表は、棒状温度計１２の近傍側から離間側に向けて順次、第１列２０、第２列２１、第３列２２であり、第１列２０には粘度グレードがＩＳＯ  ＶＧ２２の作動油を表示し、第２列２１には粘度グレードがＩＳＯ  ＶＧ３２の作動油を表示し、第３列２２には粘度グレードがＩＳＯ  ＶＧ４６の作動油を表示している。なお、行は最下行を第１行とし最上行を第１１行とする。
【００２４】
第１列２０に表示するＶＧ２２の作動油は、４０℃における動粘度が２２ｍｍ２／ｓで、１００℃における動粘度が４．３ｍｍ２／ｓの実測値であり、これらを第１列第５行のマス目２０Ｅと第１列第１１行のマス目２０Ｋに表示している。そして、第１列２０に表示するＶＧ２２の作動油は、０℃における動粘度の推定値１８６ｍｍ２／ｓを第１列第１行のマス目２０Ａに表示し、同様に１０℃、２０℃、３０℃、５０℃、６０℃、７０℃、８０℃、９０℃における動粘度の推定値９５ｍｍ２／ｓ、５４ｍｍ２／ｓ、３３ｍｍ２／ｓ、１５．５ｍｍ２／ｓ、１１．２ｍｍ２／ｓ、８．４ｍｍ２／ｓ、６．６ｍｍ２／ｓ、５．３ｍｍ２／ｓ、を、第１列第２行のマス目２０Ｂ〜第１列第１０行のマス目２０Ｊに表示している。
【００２５】
第２列２１に表示するＶＧ３２の作動油は、４０℃における動粘度が３２ｍｍ２／ｓで、１００℃における動粘度が５．５ｍｍ２／ｓの実測値であり、これらを第２列第５行のマス目２１Ｅと第２列第１１行のマス目２１Ｋに表示している。そして、第２列２１に表示するＶＧ３２の作動油は、０℃、１０℃、２０℃、３０℃、５０℃、６０℃、７０℃、８０℃、９０℃における動粘度の推定値３１５ｍｍ２／ｓ、１５５ｍｍ２／ｓ、８０ｍｍ２／ｓ、４８ｍｍ２／ｓ、２２ｍｍ２／ｓ、１６ｍｍ２／ｓ、１１．２ｍｍ２／ｓ、８．７ｍｍ２／ｓ、６．９ｍｍ２／ｓ、を、第２列第１行のマス目２１Ａ〜第２列第１０行のマス目２１Ｊに表示している。
【００２６】
第３列２２に表示するＶＧ４６の作動油は、４０℃における動粘度が４６ｍｍ２／ｓで、１００℃における動粘度が７ｍｍ２／ｓの実測値であり、これらを第３列第５行のマス目２２Ｅと第３列第１１行のマス目２２Ｋに表示している。そして、第３列２２に表示するＶＧ４６の作動油は、０℃、１０℃、２０℃、３０℃、５０℃、６０℃、７０℃、８０℃、９０℃における動粘度の推定値５３０ｍｍ２／ｓ、２４０ｍｍ２／ｓ、１２９ｍｍ２／ｓ、７０ｍｍ２／ｓ、３０ｍｍ２／ｓ、２１ｍｍ２／ｓ、１５ｍｍ２／ｓ、１１．４ｍｍ２／ｓ、９ｍｍ２／ｓ、を、第３列第１行のマス目２２Ａ〜第３列第１０行のマス目２２Ｊに表示している。
【００２７】
次に、かかる構成の作動を説明する。
図２に示すように、棒状温度計１２で作動油の温度を測定すると、感温液１５の液面が上昇または下降して測定した作動油の温度を指示する。そして、動粘度表示部１６の表から感温液１５の液面が指示する作動油の温度に対応するマス目を参照して、作動油の動粘度の推定値を確認する。例えば、図２において、測定する作動油が動粘度表示部６の右表の第１列２０に表示するＶＧ２２の作動油である場合、感温液１５の液面は６０℃を指示しており、これに対応するマス目２０Ｇから動粘度の推定値１１．２ｍｍ２／ｓを確認する。
【００２８】
かかる作動において、一実施形態と略同様に、感温液１５の液面は測定した作動油の温度を指示すると共に、その作動油の温度に対応する動粘度の推定値も指示するから、測定した作動油の温度と温度に対応した作動油の動粘度の推定値を同時に確認することが可能で、作動油の動粘度の推定値の確認作業を容易にできる。
【００２９】
また、温度計は棒状温度計１２で管部１２Ａを有し、温度指示部は管部１２Ａに封入され測定した作動油の温度に応じて液面を上昇または下降する感温液１５とした。このため、既存の棒状温度計に動粘度表示部１６を取付けることが可能で、格別に温度計を用意する必要がなく、安価に製作することができる。また、動粘度表示部１６は棒状温度計１２に着脱自在とした。このため、必要に応じて動粘度表示部１６を棒状温度計１２から取外し可能で、棒状温度計１２を被取付部材に取付ける際にスペースの制約を受け難くできる。また、動粘度表示部１６の裏面１６Ａには棒状温度計１２の一部を収納する円弧状の凹み部１７を設け、凹み部１７は円弧の曲率を棒状温度計１２の外周面の曲率と略同一にした。このため、棒状温度計１２を凹み部１７に隙間なく収納することができ、動粘度表示部１６を棒状温度計１２に容易に取り付けることができる。
【００３０】
図４は本発明のさらに他の実施形態を示し、一実施形態と同一個所には同符号を付して説明を省略し、異なる個所についてのみ説明する。
２３は周方向の一部を切り欠いた円板状の動粘度表示部で、温度表示部２のカバー部５に貼着し、作動油の種類と作動油の温度に基づく動粘度の推定値とを表示している。
【００３１】
動粘度表示部２３には２行１１列の表を表示し、行を作動油の種類で区分けすると共に、列を温度表示部２の温度目盛り３に対応して０℃から１００℃の間で１０℃毎に区分けしている。動粘度表示部２３の表は、内周側から外周側に向けて順次、第１行２４、第２行２５であり、第１行２４には粘度グレードがＩＳＯ  ＶＧ２２の作動油を表示し、第２行２５には粘度グレードがＩＳＯ  ＶＧ３２の作動油を表示している。
【００３２】
第１行２４に表示するＶＧ２２の作動油は、４０℃における動粘度が２２ｍｍ２／ｓで、１００℃における動粘度が４．３ｍｍ２／ｓの実測値であり、これらを第１行第５列のマス目２４Ｅと第１行第１１列のマス目２４Ｋに表示している。そして、第１行２４に表示するＶＧ２２の作動油は、０℃における動粘度の推定値１８６ｍｍ２／ｓを第１行第１列のマス目２４Ａに表示し、同様に１０℃、２０℃、３０℃、５０℃、６０℃、７０℃、８０℃、９０℃における動粘度の推定値９５ｍｍ２／ｓ、５４ｍｍ２／ｓ、３３ｍｍ２／ｓ、１５．５ｍｍ２／ｓ、１１．２ｍｍ２／ｓ、８．４ｍｍ２／ｓ、６．６ｍｍ２／ｓ、５．３ｍｍ２／ｓ、を、第１行第２列のマス目２４Ｂ〜第１行第１０列のマス目２４Ｊに表示している。
【００３３】
第２行２５に表示するＶＧ３２の作動油は、４０℃における動粘度が３２ｍｍ２／ｓで、１００℃における動粘度が５．５ｍｍ２／ｓの実測値であり、これらを第２行第５列のマス目２５Ｅと第２行第１１列のマス目２５Ｋに表示している。そして、第２行２５に表示するＶＧ３２の作動油は、０℃、１０℃、２０℃、３０℃、５０℃、６０℃、７０℃、８０℃、９０℃における動粘度の推定値３１５ｍｍ２／ｓ、１５５ｍｍ２／ｓ、８０ｍｍ２／ｓ、４８ｍｍ２／ｓ、２２ｍｍ２／ｓ、１６ｍｍ２／ｓ、１１．２ｍｍ２／ｓ、８．７ｍｍ２／ｓ、６．９ｍｍ２／ｓ、を、第２行第１列のマス目２５Ａ〜第２行第１０列のマス目２５Ｊに表示している。
【００３４】
作動は、図４に示すように、温度計１で作動油の温度を測定すると、指針４が回動して測定した作動油の温度を先端部４Ｂが指示する。そして、動粘度表示部２３の表から指針４の先端部４Ｂが指示する作動油の温度に対応するマス目を参照して、作動油の動粘度の推定値を確認する。
この作動で、一実施形態と略同様に、指針４は測定した作動油の温度を指示すると共に、その作動油の温度に対応する動粘度の推定値も指示するから、測定した作動油の温度と温度に対応した作動油の動粘度の推定値を同時に確認することが可能で、作動油の動粘度の推定値の確認作業を容易にできる。
【００３５】
また、動粘度表示部２３は略円形状の温度表示部２に形成された温度目盛り３の内周側に設けた。このため、温度目盛り３の内周側に動粘度表示部２３を設けるから、温度表示部２は温度表示部２の外径以上の大きさになることはなく、温度計を大型化することなくできる。
【００３６】
なお、前述の各実施形態では、動粘度表示部６を温度表示部２に固定して取付けたが、ボルト等で着脱自在に取り付けてもよい。また、動粘度表示部１６をゴム等の弾性部材１８によって棒状温度計１２に着脱自在に取り付けたが、固定して取付けてもよい。また、動粘度表示部６、１６、２３の表にはそれぞれ３種類または２種類の作動油の動粘度の推定値を表示したが、１種類または４種類以上の作動油の動粘度の推定値を表示してもよい。また、動粘度表示部６、１６、２３の表には、粘度グレードがＩＳＯ  ＶＧ２２で、４０℃における動粘度が２２ｍｍ２／ｓで、１００℃における動粘度が４．３ｍｍ２／ｓの実測値の作動油と、粘度グレードがＩＳＯ  ＶＧ３２で、４０℃における動粘度が３２ｍｍ２／ｓで、１００℃における動粘度が５．５ｍｍ２／ｓの実測値の作動油と、粘度グレードがＩＳＯ  ＶＧ４６で、４０℃における動粘度が４６ｍｍ２／ｓで、１００℃における動粘度が７ｍｍ２／ｓの実測値の作動油の動粘度の推定値を表示したが、これに限らず、４０℃と１００℃における動粘度の実測値が異なる作動油を表示してもよい。また、動粘度表示部１６は、棒状温度計１２の左側に、温度目盛り１４に対応して０℃から１００℃までの間で、０、１０、２０、３０、４０、５０、６０、７０、８０、９０、１００の数字を下方から上方へ向けて順次表示したが、この数字は表示せず、温度目盛り１４から感温液１５の位置を読み取ってもよい。また、動粘度表示部１６は棒状温度計１２を収納する凹み部１７を設けたが、凹み部１７は必要に応じ適宜設けなくともよいことは勿論である。
【符号の説明】
【００３７】
１、１２：温度計
２、１３：温度表示部
３、１４：温度目盛り
４：指針
６、１６、２３：動粘度表示部
１２Ａ：管部
１５：感温液
【図１】
2018105658.tif 000003
【図２】
2018105658.tif 000004
【図３】
2018105658.tif 000005
【図４】
2018105658.tif 000006